(57)【要約】【課題】トリガーをひくときだけでなく、その後も液体を噴出するようにして連続噴射することが可能としたトリガー式液体噴出器を提供する。【解決手段】  上端閉塞の縦主筒部１２の上部から射出筒部２０を、また縦主筒部１２の下部からシリンダ筒部２２を、それぞれ前方突設させた本体４と、上記射出筒部２０の前端に取り付けたノズル５４と、上記シリンダ筒部２２内に後半部を前方へ付勢させて嵌合させた主プランジャ５８と、上記射出筒部２０の前側から揺動可能に垂下され、上記主プランジャ５８の前半部に連係させたトリガー６２と、を具備する。上記本体４は、上記縦主筒部１２の上部後面から後方突出するとともに第１逆止弁３６上方の縦流路部分と連通させたタンク筒壁Ｓ１と、このタンク筒壁Ｓ１内に前方付勢させて液密に嵌合させた補助プランジャＳ２とを有するサブタンクＳを備えている。【選択図】図１
2014166624.tif 000002
【特許請求の範囲】
【請求項１】
容器体(１００)と連通するための上端閉塞の縦主筒部(１２)を有し、この縦主筒部(１２)の上部前面から射出筒部(２０)を、また射出筒部(２０)より下側の縦主筒部分前面からシリンダ筒部(２２)を、それぞれ縦主筒部(１２)内に連通させた本体(４)と、
上記射出筒部(２０)の前端に取り付けたノズル(５４)と、
上記シリンダ筒部(２２)内に後半部を前方へ付勢させて嵌合させた主プランジャ(５８)と、
上記射出筒部(２０)の前側から揺動可能に垂下され、上記主プランジャ(５８)の前半部に連係させたトリガー(６２)と、を具備し、
上記縦主筒部(１２)で画成する縦流路(ＰＶ)のうち射出筒部(２０)の後端部付近に第２逆止弁(４０)を、また第２逆止弁下方の流路部分に第１逆止弁(３６)をそれぞれ形成し、上記トリガー(６２)の操作により、容器体(１００)内の液体が第１逆止弁(３６)を通ってシリンダ筒部(２２)内に吸い上げられ、さらにシリンダ筒部(２２)内から第２逆止弁(４０)を通ってノズル(５４)の噴出口より噴出されるように構成したトリガー式噴出器であって、
上記本体(４)は、上記縦主筒部(１２)の上部後面から後方突出するとともに縦流路と連通させたタンク筒壁(Ｓ１)と、このタンク筒壁(Ｓ１)内に前方付勢させて液密に嵌合させた補助プランジャ(Ｓ２)とを有するサブタンク(Ｓ)を備えており、
トリガー(６２)をひくと、シリンダ筒部(２２)内の液体の一部がサブタンク(Ｓ)内に入るとともに残りが射出筒部(２０)を経てノズル(５４)より噴出され、トリガー(６２)を解放すると、サブタンク(Ｓ)内の液体が射出筒部(２０)を経てノズル(５４)より噴出されるように構成したことを特徴とする、トリガー式液体噴出器。
【請求項２】
上記タンク筒壁(Ｓ１)に、上記補助プランジャ(Ｓ２)の後限位置を規定する圧力解除孔(１６)を開口するとともに、上記縦主筒部(１２)の外側に、上記圧力解除孔(１６)から縦主筒部(１２)の下端側へ至る液体戻し流路(ＰＲ)を形成したことを特徴とする、請求項１記載のトリガー式液体噴出器。
【請求項３】
上記ノズル(５４)内に蓄圧弁(Ａ)を設けたことを特徴とする、請求項１又は請求項２記載のトリガー式液体噴出器。
【請求項４】
上記補助プランジャ(Ｓ２)の後退を制限するロック機構(８４)を有し、
このロック機構(８４)は、上記タンク筒壁(Ｓ１)の後半部内に前後方向の回転軸の周りを回動自在にかつ後方抜出し不能に挿入された回転体(８４ａ)と、この回転体(８４ａ)と連結された回転摘み部(８４ｂ)と、回転体(８４ａ)の前面と補助プランジャ(Ｓ２)との間に介在させたスペーサ(８４ｃ)とからなり、
上記回転体(８４ａ)及びスペーサ(８４ｃ)の一方に前後方向の切割り(９０)を穿設して、上記回転摘み部(８４ｂ)を非ロック位置へ回したときには回転体(８４ａ)及びスペーサ(８４ｃ)の他方が上記切割り(９０)内へ挿入されて、補助プランジャ(Ｓ２)の後退が可能となり、回転摘み部(８４ｂ)をロック位置へ回したときには上記回転体(８４ａ)及びスペーサ(８４ｃ)の対向面が当接して補助プランジャ(Ｓ２)の後退を規制するように構成したことを特徴とする、請求項１から請求項３の何れかに記載のトリガー式液体噴出器。
【請求項５】
上記回転体(８４ａ)は、前面開放の筒壁として形成され、その筒壁の周方向の一部にスリットを入れることで当該筒壁の筒穴(９０ａ)とスリット(９０ｂ)とで上記切割り(９０)を形成し、
上記スペーサ(８４ｃ)は、上記筒穴(９０ａ)内へ嵌合可能な棒体(９８)と、棒体(９８)の側面に付設され上記スリット(９０ｂ)内に嵌合可能な邪魔板(９９)とで構成されていることを特徴とする、請求項４記載のトリガー式液体噴出器。
【請求項６】
上記回転体(８４ａ)の前面から、上記スリット(９０ｂ)近傍に位置させて押圧突子(９２)を前方突設し、回転体(８４ａ)を回転させたときに上記押圧突子(９２)が上記邪魔板(９９)に当接可能に形成し、この当接状態で上記邪魔板(９９)がスリット(９０ｂ)内へ嵌挿可能となることを特徴とする、請求項５記載のトリガー式液体噴出器。
【発明の詳細な説明】
【技術分野】
【０００１】
本発明は、トリガー式液体噴出器に関する。
【背景技術】
【０００２】
トリガーの操作により容器体から液体を吸込み、ノズルから吐出するトリガー式液体噴出器が知られている（特許文献１）。この液体吐出器は、容器体と連通する縦主筒部の上部前面から、先端側にノズルを付設した射出筒部を、この射出筒部より下方の縦主筒部分前面からシリンダ筒部を、それぞれ縦主筒部内に連通させて前方突出させ、このシリンダ筒部内にプランジャの後半部を嵌合させるとともに、射出筒部の前側から揺動可能に垂下したトリガーを、プランジャの前半部に連係させている。
【先行技術文献】
【特許文献】
【０００３】
【特許文献１】特許第３７８１９０４号公報
【発明の概要】
【発明が解決しようとする課題】
【０００４】
特許文献１のトリガー式液体噴出器は、トリガーを引くときにのみ液体が吐出されるように構成している。しかしながら、例えば広い面積に対して液体を吹き付けるときには、何度もトリガーをひくことを繰り返さなければならず、面倒である。
【０００５】
本発明の第１の目的は、トリガーをひくときだけでなく、その後も液体を噴出するようにして連続噴射することが可能としたトリガー式液体噴出器を提供することである。
本発明の第２の目的は、上記の連続噴射の機能を選択的に停止させるロック機構を有するトリガー式液体噴出器を提案することである。
【課題を解決するための手段】
【０００６】
第１の手段は、容器体１００と連通するための上端閉塞の縦主筒部１２を有し、この縦主筒部１２の上部前面から射出筒部２０を、また射出筒部２０より下側の縦主筒部分前面からシリンダ筒部２２を、それぞれ縦主筒部１２内に連通させた本体４と、
上記射出筒部２０の前端に取り付けたノズル５４と、
上記シリンダ筒部２２内に後半部を前方へ付勢させて嵌合させた主プランジャ５８と、
上記射出筒部２０の前側から揺動可能に垂下され、上記主プランジャ５８の前半部に連係させたトリガー６２と、を具備し、
上記縦主筒部１２で画成する縦流路ＰＶのうち射出筒部２０の後端部付近に第２逆止弁４０を、また第２逆止弁下方の流路部分に第１逆止弁３６をそれぞれ形成し、上記トリガー６２の操作により、容器体１００内の液体が第１逆止弁３６を通ってシリンダ筒部２２内に吸い上げられ、さらにシリンダ筒部２２内から第２逆止弁４０を通ってノズル５４の噴出口より噴出されるように構成したトリガー式噴出器であって、
上記本体４は、上記縦主筒部１２の上部後面から後方突出するとともに縦流路と連通させたタンク筒壁Ｓ１と、このタンク筒壁Ｓ１内に前方付勢させて液密に嵌合させた補助プランジャＳ２とを有するサブタンクＳを備えており、
トリガー６２をひくと、シリンダ筒部２２内の液体の一部がサブタンクＳ内に入るとともに残りが射出筒部２０を経てノズル５４より噴出され、トリガー６２を解放すると、サブタンクＳ内の液体が射出筒部２０を経てノズル５４より噴出されるように構成した。
【０００７】
本手段では、図１に示すようにトリガー式液体噴出器の本体４の縦主筒部１２の上部後面にサブタンクＳを設けることを提案している。サブタンクＳは、縦主筒部１２の上部後面から後方突出するタンク筒壁Ｓ１と、このタンク筒壁Ｓ１内に嵌合した補助プランジャＳ２とで構成されている。このサブタンクＳにより、トリガーが前方へ復帰する途中の段階及び前方へ復帰した後にもサブタンクＳ内の液体がノズルから突出され（図３及び図５参照）、液体の連続噴射が可能になる。
【０００８】
第２の手段は、第１の手段を有し、かつ
上記タンク筒壁Ｓ１に、上記補助プランジャＳ２の後限位置を規定する圧力解除孔１６を開口するとともに、上記縦主筒部１２の外側に、上記圧力解除孔１６から縦主筒部１２の下端側へ至る液体戻し流路ＰＲを形成した。
【０００９】
本手段では、図１に示す如く、タンク筒壁Ｓ１に開口した圧力解除孔１６から縦主筒部１２の下端側へ至る液体戻し流路ＰＲを形成することを提案している。この構成により、補助プランジャＳ２が後限位置まで後退したときにサブタンクＳ内の液体が液体戻し流路ＰＲを経由して容器体１００へ戻すことができる（図４参照）。
【００１０】
第３の手段は、第１の手段又は第２の手段を有し、かつ上記ノズル５４内に蓄圧弁Ａを設けている。
【００１１】
本手段では、図１に示すようにノズル５４内に蓄圧弁Ａを設けることを提案している。本発明では、図５の如くトリガーの操作を停止した状態でも液体を噴出し続けることができることを特徴とするが、噴射対象に到達しないほど噴出圧力が弱まると、噴出した液体が無駄になり、またノズルの先端から液たれを生ずるおそれもある。上述の蓄圧弁Ａを設けることで、これらの不都合を回避できる。
【００１２】
第４の手段は、第１の手段から第３の手段の何れかを有し、かつ
上記補助プランジャＳ２の後退を制限するロック機構８４を有し、
このロック機構８４は、上記タンク筒壁Ｓ１の後半部内に前後方向の回転軸の周りを回動自在にかつ後方抜出し不能に挿入された回転体８４ａと、この回転体８４ａと連結された回転摘み部８４ｂと、回転体８４ａの前面と補助プランジャＳ２との間に介在させたスペーサ８４ｃとからなり、
上記回転体８４ａ及びスペーサ８４ｃの一方に前後方向の切割り９０を穿設して、上記回転摘み部８４ｂを非ロック位置へ回したときには回転体８４ａ及びスペーサ８４ｃの他方が上記切割り９０内へ挿入されて、補助プランジャＳ２の後退が可能となり、回転摘み部８４ｂをロック位置へ回したときには上記回転体８４ａ及びスペーサ８４ｃの対向面が当接して補助プランジャＳ２の後退を規制するように構成した。
【００１３】
本手段では、図５に示す如く、補助プランジャＳ２の後退を適宜規制することができるロック機構８４を設けることを提案する。このロック機構８４は、前後方向定位置に固定された回転体８４ａと、回転体８４ａに連結した回転摘み部８４ｂと、回転体８４ａ及び補助プランジャＳ２の間に介在させたスペーサ８４ｃとからなる。補助プランジャＳ２はスペーサ８４ｃにより後退できない。しかしながら、回転体８４ａ及びスペーサ８４ｃの一方（図示例では前者）には、他方の挿入を可能とする切割り９０を設けてあり、回転摘み部８４ｂを非ロック位置へ回すと（図８参照）、他方部材が切割り９０内へ挿入可能となり、図１０の如く補助プランジャＳ２の後退が可能となる。
【００１４】
第５の手段は、第４の手段の何れかを有し、かつ
上記回転体８４ａは、前面開放の筒壁として形成され、その筒壁の周方向の一部にスリットを入れることで当該筒壁の筒穴９０ａとスリット９０ｂとで上記切割り９０を形成し、
上記スペーサ８４ｃは、上記筒穴９０ａ内へ嵌合可能な棒体９８と、棒体９８の側面に付設され上記スリット９０ｂ内に嵌合可能な邪魔板９９とで構成されている。
【００１５】
本手段では、回転体８４ａ及びスペーサ８４ｃの好適な形態を提案している。すなわち、回転体８４ａは、筒壁にスリットを穿設した形状であるので、簡易な構造とすることができる。
【００１６】
第６の手段は、第５の手段を有し、かつ
上記回転体８４ａの前面から、上記スリット９０ｂ近傍に位置させて押圧突子９２を前方突設し、回転体８４ａを回転させたときに上記押圧突子９２が上記邪魔板９９に当接可能に形成し、この当接状態で上記邪魔板９９がスリット９０ｂ内へ嵌挿可能となる。
【００１７】
本手段では、回転体８４ａから前方突設した押圧突子９２が邪魔板９９に当接したときに邪魔板９９がスリット９０ｂ内へ挿入可能となるようにしている。従って利用者が当接時の感触により非ロック状態となったことを認識できる。
【発明の効果】
【００１８】
第１の手段に係る発明によれば、トリガー式液体噴出器１の本体４の縦主筒部１２の上部後側にサブタンクＳを形成したから、液体の連続噴出が可能となる。
第２の手段に係る発明によれば、タンク筒壁Ｓ１に開口した圧力解除孔１６から縦主筒部１２の下端側へ至る液体戻し流路ＰＲを形成したから、サブタンクＳ内の圧力を調整することができる。
第３の手段に係る発明によれば、ノズル５４内に蓄圧弁Ａを設けたから、液体の噴出圧力が安定する。
第４の手段に係る発明によれば、補助プランジャＳ２の後退を規制するロック機構８４を設けたから、サブタンクを用いる場合とそうでない場合とを使い分けることができる。
第５の手段に係る発明によれば、回転体８４ａは筒壁にスリットを穿設した形状であるので、簡易な構造とすることができる。
第６の手段に係る発明によれば、押圧突子９２が邪魔板９９に当接したときの感触により、非ロック状態となったことを利用者が容易に認識できる。
【図面の簡単な説明】
【００１９】
【図１】本発明の第１実施形態に係るトリガー式液体噴出器の縦断面図である。
【図２】図１のトリガー式液体噴出器のトリガーを引いた状態を示す説明図である。
【図３】図１のトリガー式液体噴出器のトリガーが復帰した状態を示す説明図である。
【図４】図１のトリガー式液体噴出器の補助プランジャが圧力解除孔の開口位置まで後退した状態の説明図である。
【図５】トリガー操作の停止後に補助プランジャが前方復帰する途中の状態の説明図である。
【図６】本発明の第２実施形態に係るトリガー式液体噴出器を側方からみた縦断面図である。
【図７】図６のトリガー式液体噴出器の要部の縦断面図である。
【図８】図６のトリガー式液体噴出器の要部をＶＩＩＩ−ＶＩＩＩ方向から見た縦断面図である縦断面図である。
【図９】図８の構成からストッパを省略したときの図である。
【図１０】図６のトリガー式液体噴出器の回転摘み部を回転させたときの作用説明図である。
【図１１】図１０のＸＩ−ＸＩの断面図である。
【図１２】図１０の状態から補助プランジャが後退する様子を示す説明図である。
【図１３】図８の状態から図１１の状態へ至る途中の説明図である。
【図１４】図６のトリガー式液体噴出器の変形例を示す図である。
【発明を実施するための最良の形態】
【００２０】
図１乃至図５は、本発明トリガー式液体噴出器の第１実施例を示し、図中１はトリガー式液体噴出器を示す。説明の便宜上、このトリガー式液体噴出器の基本的構造を先に説明し、特徴部分を後で説明する。また図１の左方を前部、右方を後部、手前を右部、その反対側を左部として説明する。
【００２１】
トリガー式液体噴出器１は、装着キャップ２と、本体４と、連結部材５０と、ノズル５４と、主プランジャ５８と、トリガー６２と、本体カバー６４とを備えている。尚、これら各部材は特に断らない限り合成樹脂材で形成することができる。
【００２２】
装着キャップ２は、容器体１００の口頸部１０２外周に螺着してトリガー式液体噴出器１を容器体１００に装着固定するもので、本体４の下部に回動可能に連設されている。図示例では、装着キャップ２の上端部を小内径部として、この小内径部の内側に下向きの係合段部２ａを形成し、この係合段部２ａと容器体１００の口頸部１０２との間に、後述する本体４のフランジ３２ａ及びパッキン４１を挟持するように設けている。
【００２３】
本体４は、本体部６と、インテイク３０とを組み付けて構成している。
【００２４】
上記本体部６は、上端を閉塞した下端開口の連結筒部８を備え、連結筒部８の頂板１０の後部偏心位置に基端を開口した有頂の縦主筒部１２を上方に起立し、また、縦主筒部１２の上端部に基端を開口した射出筒部２０を前方へ延設している。また、射出筒部２０下側の縦主筒部分前面より、前面を開口したシリンダ筒部２２を前方へ突設している。このシリンダ筒部２２の後壁下部は上記頂板１０と連続しており、この連続部分に第１通気孔２４を開口している。シリンダ筒部２２の後端部で囲まれた縦主筒部１２の筒壁部分の中央部からは、先端開口の筒状突部２６を前方突出しており、その筒壁部分の外周部の一部に第１オリフィスＯ１を開口している。
【００２５】
インテイク３０は、上記連結筒部８内に、連結筒部８の頂板１０と隙間をあけて嵌合させた有頂の大径筒部３２と、大径筒部３２の頂壁３３の後部偏心位置を貫通して上方に起立させ、縦主筒部１２内に嵌着した小径筒部３４とを備えている。図示例では小径筒部３４の回りの頂壁部分を陥没させて環状陥没部Ｒとし、この環状陥没部Ｒ内に上記縦主筒部１２の下端部を挿入している。
【００２６】
また図示例では小径筒部３４の上端部内には第１逆止弁３６を設けており、また小径筒部３４より上方の縦主筒部分内には、第２逆止弁４０を内蔵した補助筒部３８を嵌合している。補助筒部３８の上端部は、縦主筒部１２の上端部に付設した係合凸部１３の下面に突き当てている。そして本実施形態では、小径筒部３４と補助筒部３８とで縦流路Ｐｖを画成している。もっともこの構造は適宜変更することができ、例えば小径筒部３４及び補助筒部３８を連続させても構わない。小径筒部３４内下部には吸上げ用のパイプ４２の上端を嵌着して下端を容器体１００内に垂下している。
【００２７】
また大径筒部３２の頂壁３３には第２通気孔４４を穿設し、主プランジャ５８を押し込んだ際に外部と容器体１００内とが、上記第１通気孔２４及び第２通気孔４４を介して連通し（図２参照）、負圧化した容器体１００内に外気が導入される如く構成している。
【００２８】
さらに、大径筒部３２の外周より突設したフランジ３２ａ上面に装着キャップ２上端のフランジ状頂壁を当接させて本体部６に対して装着キャップを回動可能に装着している。フランジ３２ａの下側にはパッキン４１を設けている。
【００２９】
上記本体部６は、第１逆止弁３６上方の縦流路ＰＶ内と、上記射出筒部２０で画成された射出流路ＰＪとを連通する第２オリフィスＯ２を備えている。
【００３０】
連結部材５０は、上記射出筒部２０の先端外周に装着筒部５０ａを嵌合させて射出筒部２０の先端に装着しており、連結部材５０を介して射出筒部２０の先端にノズル５４を連結している。装着筒部５０ａ先端に射出筒部２０先端面を被覆する基板５０ｂを備える。また上記基板５０ｂの前面からは、小径シリンダ周壁５０ｃ及びこの小径シリンダ周壁５０ｃを囲む支持筒部５０ｄを内外２重筒状に前方突出している。この小径シリンダ周壁５０ｃ内方の基板５０ｂ部分には透孔５２を設け、この透孔５２を介して射出流路ＰＪ内とノズル５４先端の噴出口とを連通している。
【００３１】
ノズル５４は、連結部材５０に回動可能に連結した、図１に示す如き正面視略六角形をなし、ノズル５４の裏面中心部に形成した嵌合凹部Ｄ内に、上記支持筒部５０ｄに嵌合している。またノズル５４の前面中央部には蓋板嵌合用凹部５４ａを凹設している。また、蓋板嵌合用凹部５４ａ内には、蓋板５６を開閉可能に嵌合している。この蓋板５６の上端部は、蓋板嵌合用凹部５４ａの側面から突設した軸部５４ｂに枢着させている。
【００３２】
このノズル５４の内部には蓄圧弁Ａを形成している。すなわち、ノズル５４は嵌合凹部Ｄの前面の外周部から弁筒部５４ｃ及び弁筒部５４ｃを囲む大径シリンダ周壁５４ｄを後方突出する。この大径シリンダ周壁５４ｄは、上記小径シリンダ周壁５０ｃより大径であるものとする。またノズル５４は、蓄圧弁Ａ形成用の蓄圧弁体５７を内蔵している。蓄圧弁体５７は、垂直板状の栓部５７ａの外周部から、前半部に透孔を有する周壁を突出し、この周壁の後半部で形成する小径ピストン部５７ｂとし、周壁の中間部から前外方へテーパ状の大径ピストン部５７ｃを突出してなる。上記栓部５７ａは上記弁筒部５４ｃ内へ、後方への離脱可能に挿入されている。また小径ピストン部５７ｂは上記小径シリンダ周壁５０ｃ内に、大径ピストン部５７ｃは上記大径シリンダ周壁５４ｄ内にそれぞれ液密に嵌合されている。そして栓部５７ａの後面と基板５０ｂの前面対応部分との間には第３スプリング５５が介装させ（図示例では基板５０ｂより前部側へ突出した突条部材の外周に第３スプリング５５を介在させ）ており、蓄圧弁体５７を前方に付勢させている。この蓄圧弁体５７は、射出筒部２０からの液体の噴出圧力が一定以上となると、大径シリンダ周壁５４ｄと小径シリンダ周壁５０ｃとの径差により後退し、蓄圧弁Ａが開くように構成している。
【００３３】
主プランジャ５８は、前端閉塞の筒状であるとともに、その前半部に比べて後半部が大径であり、後半部に形成した摺動部５８ａを、シリンダ筒部２２内周面及び筒状突部２６の外周面に液密に嵌合している。主プランジャ５８の前半部と筒状突部２６の後部との間には第１スプリング６０を介装している。そして主プランジャ５８は、摺動部５８ａが第１通気孔２４を閉塞する状態から後方への押し込みが可能に装着されている。
【００３４】
トリガー６２は、前板６２ａの両側より一対の側板６２ｂを延設し、前板６２ａと側板６２ｂの下端には底板６２ｃを延設しており、上記連結部材５０の両側に、前板６２ａ上方に突出した両側板６２ｂの上端部をそれぞれ枢着して、前後揺動可能に装着されている。また、主プランジャ５８の先端部をトリガー６２の上部に連係させて、トリガー６２の引き込みにより主プランジャ５８の押し込みが可能に、押し込んだ状態から第１スプリング６０の弾性復元力で元の状態に復元するトリガーにより、主プランジャ５８を元の状態に引き戻すよう構成されている。
【００３５】
本体カバー６４は、本体４の上面、両側面、後面を被覆して本体４に嵌着固定している。
【００３６】
本発明においては、上記縦主筒部１２の上部後側にサブタンクＳを設けている。このサブタンクＳは、タンク筒壁Ｓ１と、補助プランジャＳ２と、スプリング保持具Ｓ３と、第２スプリングＳ４と、嵌合筒部Ｓ５とで構成されている。
【００３７】
上記タンク筒壁Ｓ１は、縦主筒部１２の上部後面側から後方突出している。タンク筒壁Ｓ１で囲まれる縦主筒部の筒壁部分には、タンク筒壁Ｓ１内と縦流路ＰＶとを連通させる第３オリフィスＯ３を開口している。また図示例では、この筒壁部分の中央側にプランジャ当接用の環状凸部１４を形成している。上記タンク筒壁Ｓ１の前半部には圧力解除孔１６を開口している。これについては後述する。
【００３８】
上記補助プランジャＳ２は、タンク筒壁Ｓ１内に液密に嵌合されている。図示の補助プランジャＳ２は、両端部を大外径とした摺動筒部７０の前端部に、タンク筒壁内部を仕切る前壁７２の外周部を連結してなり、この前壁７２の前面外周部に環状溝７４を形成している。もっともこの構造は適宜変更することができる。
【００３９】
上記スプリング保持具Ｓ３は、タンク筒壁Ｓ１の外面に嵌合させた保持筒部７６の後端面をスプリング受板７８で閉塞してなる。このスプリング受板７８の適所（図示例では中心部）には空気逃がし孔８０を開口している。
【００４０】
上記嵌合筒部Ｓ５は、上記タンク筒壁Ｓ１の外側の縦主筒部分から後方へ、タンク筒壁Ｓ１と同心状に突設している。この嵌合筒部Ｓ５と保持筒部７６との対応箇所に、相互に係合するスプリング保持具Ｓ３抜け留め用の係合手段Ｃ１、Ｃ２を設けている。もっともこれらの構造は適宜変更することができる。
【００４１】
上記第２スプリングＳ４は、上記補助プランジャＳ２の前壁７２とスプリング受板７８との間に介装されている。この第２スプリングＳ４の弾性力は、トリガー６２を後方にひいたときの第２逆止弁４０上方の縦流路ＰＶ部分内の圧力上昇により補助プランジャＳ２が後退するように設定する。これによりシリンダ筒部２２から第２逆止弁４０上方へ供給された液体の一部をサブタンクＳ内に溜めることができる。
【００４２】
好適な一実施例として、第２逆止弁４０上方へ供給された液体のうち約５０％が直接噴出され、残り５０％がサブタンクＳ内に入るように設計することができる。後述の如くトリガーを数回作動させることで、サブタンクＳ内に液体を大量に溜めることができる。
【００４３】
また上記本体４は、上記圧力解除孔１６から装着キャップ２の内部へ至る液体戻し流路ＰＲを備えている。図示の液体戻し流路ＰＲは、第１間隙部ｇ１と、第２間隙部ｇ２と、第３間隙部ｇ３とで構成している。
【００４４】
上記第１間隙部ｇ１は、上記保持筒部７６の前半部を大内径として、この大内径部分及び保持筒部７６より前方の嵌合筒部分の各内面とタンク筒壁部分の外面との間に形成している。
【００４５】
また図示例では連結筒部８の後壁部８ａを、頂板１０の上方へ延設して、嵌合筒部Ｓ５の前部下側へ連結させている。
【００４６】
上記第２間隙部ｇ２は、上記連結筒部８の後壁部８ａと縦主筒部１２の後壁部との間の空間として形成される。この空間は、後壁部８ａの延長部分の周方向両側で閉塞され、外部に対して遮断されている。
【００４７】
また図示例では上記環状陥没部Ｒの後壁部は大径筒部３２の後壁部と共通する連続壁部としており、この連続壁部は縦主筒部１２の後壁部から離間している。
【００４８】
第３間隙部ｇ３は、上記環状陥没部Ｒの後壁部と縦主筒部１２の後壁部との間に形成されている。
【００４９】
上記構成によれば、図２に示す如く、トリガー式液体噴出器を容器体１００の口頸部１０２に装着するとともに蓋板５６を開いて、トリガー６２を後方へ引くと、主プランジャ５８が第１スプリング６０の弾性力に抗して後退してシリンダ筒部２２内の液体が第１オリフィスＯ１から縦流路ＰＶ内に入り、第２逆止弁４０を押し上げる。第２逆止弁４０を通過した液体の一部は、射出筒部２０を通り、蓄圧弁Ａを開弁させ、この蓄圧弁Ａを通過してノズル５４から前方へ噴出される。また残りの液体は、第３オリフィスＯ３を通過し、サブタンクＳ内に入る。このとき補助プランジャＳ２は、第２スプリングＳ４の弾性力に抗して後退する。
【００５０】
次にトリガー６２を解放すると、図３に示すように、第１スプリング６０の弾性復元力により主プランジャ５８が前進して、第１逆止弁３６が開きかつ第２逆止弁４０が閉じる。これにより容器体１００の液体が第１逆止弁３６及び第１オリフィスＯ１を経てシリンダ筒部２２内に入る。
【００５１】
他方、サブタンクＳ内では第２スプリングＳ４の弾性復元力により補助プランジャＳ２が前進し、サブタンクＳ内の液体が第３オリフィスＯ３、第２オリフィスＯ２、射出筒部２０、蓄圧弁Ａを通過してノズル５４から噴出される。
【００５２】
すなわち、本発明の構成ではトリガー６２を後方へ引くときだけでなく、トリガー６２が前方へ復帰するときでも液体が噴出することとなり、連続噴射が可能となる。
【００５３】
再びトリガー６２を操作しなければ上記補助プランジャＳ２は前限位置（図１に示す位置）まで前進するが、この説明では、補助プランジャＳ２が前限位置に到達する前にトリガーを引く動作を繰り返すものとする。そうすると、補助プランジャＳ２は、或る一定の巾で後退と前進とを繰り返しながら、全体としては後方へ移動していく。補助プランジャＳ２が後退し、圧力が高まり過ぎると、サブタンクＳが破損する恐れがある。
【００５４】
そこで本発明では、タンク筒壁Ｓ１の適所（図示例ではタンク筒壁の前半部）に圧力解除孔１６を設けている。補助プランジャＳ２の前壁７２が圧力解除孔１６より後退すると、サブタンクＳ内の液体が圧力解除孔１６から液体戻し流路ＰＲを経由して容器体１００側へ戻される（図４参照）。従って補助プランジャＳ２が図４に示す位置（後限位置）よりも後退することがない。
【００５５】
図４の状態からトリガーの操作を停止すると、図５に示す如く、補助プランジャＳ２が前進する。この補助プランジャＳ２が後限位置から前限位置へ移動するまでノズル５４からの液体の噴出が続くので、長時間の液体の噴出が可能となる。補助プランジャＳ２が前限位置に近づき、液体の噴出圧力が一定値未満になると蓄圧弁Ａが閉じる。
【００５６】
以下本発明の他の実施形態を説明する。この説明において第１実施形態と同じ構成に関しては解説を省略する。
【００５７】
本実施形態では、補助プランジャＳ２の後退を規制するロック機構８４を設けている。
【００５８】
このロック機構８４は、図６に示す如く、回転体８４ａと、回転摘み部８４ｂと、スペーサ８４ｃとで構成されている。
【００５９】
図７は、上記ロック機構８４を拡大して示している。
この図７に示す通り、上記回転体８４ａは、前面開口で回転筒部８６と、回転筒部の後面を閉塞する当接壁部８８とで形成する。当接壁部の中央部からは連結棒９４を突出しており、この連結棒は空気逃がし孔８０を通って後方へ突出している。こうすることで当接壁部８８をスプリング受板７８に係止可能としている。空気逃がし孔８０と連結棒９４との間には隙間を確保する。図示例の連結棒９４は本体カバー６４を貫通している。図面中６４ａは貫通孔である。
【００６０】
図８には、図７のＶＩＩＩ−ＶＩＩＩの方向にみた回転体８４ａ及びスペーサ８４ｃの形状を、図９には、図８に示す構造からスペーサ８４ｃを省略して回転体８４ａのみの前面形状をそれぞれ描いている。
上記回転筒部８６の筒壁には図６に示す如く前後方向のスリット９０ｂを穿設しており、図９に示す如く、このスリット９０ｂと回転筒部８６の筒穴９０ａとで上記切割り９０を形成する。
【００６１】
また回転筒部８６の前面からは、図９に示す如く、上記スリット９０ｂと隣接させて押圧突子９２を前方突出している。
【００６２】
上記回転摘み部８４ｂは、上記連結棒９４を嵌着するための嵌合穴９５を有する。図示の回転摘み部８４ｂは、リング状板部９６Ｃの内周部及び外周部から内周壁部９６Ａ及び外周壁部９６Ｂをそれぞれ前方突出し、その内周壁部の内面で上記嵌合穴９５を形成している。しかしその構造は適宜変更することができる。
【００６３】
上記スペーサ８４ｃは、前後方向の棒体９８と、棒体９８の外面から側外方へ突出する邪魔板９９とを具備する。上記棒体９８は、上記筒穴９０ａ内へ、また邪魔板９９はスリット９０ｂ内へそれぞれ嵌合可能である。好適な図示例では、スペーサ８４ｃは補助プランジャＳ２の一部として補助プランジャの前壁７２から一体的に後方へ突出している。
【００６４】
図示例ではスリット９０ｂ及び邪魔板９９をそれぞれ一対設けているが、その構造は適宜変更することができる。
【００６５】
上記構成において、図６の状態では、回転体８４ａの切割り９０とスペーサ８４ｃとは向きが異なっている（図８参照）。従ってスペーサ８４ｃが切割り９０内に挿入されることはなく、補助プランジャＳ２は後退しない。
【００６６】
次に図１０の如く回転摘み部８４ｂを回転させると、回転体８４ａの切割り９０とスペーサ８４ｃとは向きが同じとなり（図１１参照）、図１２に示す如く補助プランジャＳ２の後退が可能となる。
【００６７】
図１３は、回転摘み部８４ｂを回転させる過程の途中図であり、押圧突子９２が回転体８４ａとともに矢示の方向に回転する。押圧突子９２が邪魔板９９に突き当たり、さらにスペーサ８４ｃとともに回転して図１１の状態に至る。利用者は、上記突き当たりの感触によりロックが解除されたことを認識できる。なお、スペーサ８４ｃを補助プランジャＳ２と一体に成形したときには、スペーサ８４ｃとともに補助プランジャＳ２もタンク筒壁Ｓ１内で回転する。
【００６８】
図１４は、上記スペーサ８４ｃの変形例を示している。この例では、スペーサ８４ｃを補助プランジャＳ２とは別体に成形し、補助プランジャＳ２と回転体８４ａとの間に挿入させている。好適な図示例では、スペーサ８４ｃの棒体９８の前端部に鍔部９８ｂを形成して、この鍔部９８ｂ内を補助プランジャＳ２内に嵌め込み、鍔部９８ｂの後面に第２スプリングＳ４の前端部を当接している。
【符号の説明】
【００６９】
１…トリガー式液体噴出器  ２…装着キャップ  ２ａ…係合段部
４…本体  ６…本体部
８…連結筒部  ８ａ…後壁部
１０…頂板  １２…縦主筒部  １３…係合凸部  １４…環状凸部
１６…圧力解除孔  
２０…射出筒部
２２…シリンダ筒部  ２４…第１通気孔  ２６…筒状突部  
３０…インテイク  ３２…大径筒部  ３２ａ…フランジ  ３３…頂壁
３４…小径筒部  ３６…第１逆止弁  ３８…補助筒部  ４０…第２逆止弁
４１…パッキン  ４２…パイプ  ４４…第２通気孔
５０…連結部材  ５０ａ…装着筒部  ５０ｂ…基板
５０ｃ…小径シリンダ周壁  ５０ｄ…支持筒部  ５２…透孔
５４…ノズル  ５４ａ…蓋板嵌合用凹部  ５４ｂ…軸部  ５４ｃ…弁筒部
５４ｄ…大径シリンダ周壁
５５…第３スプリング  ５６…蓋板  
５７…蓄圧弁体  ５７ａ…栓部  ５７ｂ…小径ピストン部  ５７ｃ…大径ピストン部
５８…主プランジャ  ５８ａ…摺動部  ６０…第１スプリング
６２…トリガー  ６２ａ…前板  ６２ｂ…側板  ６２ｃ…底板  ６４…本体カバー
６４ａ…貫通孔
７０…摺動筒部  ７２…前壁  ７４…環状溝
７６…保持筒部  ７８…スプリング受板
８０…空気逃がし孔  
８４…ロック機構  ８４ａ…回転体  ８４ｂ…回転摘み部  ８４ｃ…スペーサ
８６…回転筒部  ８８…当接壁部  ９０…切割り  ９０ａ…筒穴  ９０ｂ…スリット
９２…押圧突子  ９４…連結棒
９５…嵌合穴  ９６Ａ…内周壁部  ９６Ｂ…外周壁部  ９６Ｃ…リング状板部
９８…棒体  ９８ａ…後端部  ９８ｂ…鍔部  ９９…邪魔板
１００…容器体  １０２…口頸部
Ａ…蓄圧弁  Ｃ１、Ｃ２…係合手段  Ｄ…嵌合凹部
ｇ１…第１間隙部  ｇ２…第２間隙部  ｇ３…第３間隙部
Ｏ１…第１オリフィス  Ｏ２…第２オリフィス  Ｏ３…第３オリフィス
ＰＶ…縦流路  ＰＪ…射出流路  ＰＲ…液体戻し流路
Ｒ…環状陥没部
Ｓ…サブタンク  Ｓ１…タンク筒壁  Ｓ２…補助プランジャ
Ｓ３…スプリング保持具  Ｓ４…第２スプリング  Ｓ５…嵌合筒部
【図１】
2014166624.tif 000003
【図２】
2014166624.tif 000004
【図３】
2014166624.tif 000005
【図４】
2014166624.tif 000006
【図５】
2014166624.tif 000007
【図６】
2014166624.tif 000008
【図７】
2014166624.tif 000009
【図８】
2014166624.tif 000010
【図９】
2014166624.tif 000011
【図１０】
2014166624.tif 000012
【図１１】
2014166624.tif 000013
【図１２】
2014166624.tif 000014
【図１３】
2014166624.tif 000015
【図１４】
2014166624.tif 000016